(57)【特許請求の範囲】
【請求項１】
処置具挿通チャンネルに挿通された処置具の先端部分の突出方向を変えるために挿入部の先端に配置された処置具起上片を、上記挿入部内に挿通配置された操作ワイヤを介して、上記挿入部の基端に連結された操作部からの遠隔操作によって作動させるようにした処置具起上装置を有する内視鏡において、
上記操作ワイヤを電気絶縁性のプラスチック線材により形成して、上記挿入部の先端と上記操作部との間を電気的に絶縁すると共に、上記操作ワイヤを形成する上記プラスチック線材自体の先端を熱成形により瘤状に形成して連結相手に対する抜け止めとしたことを特徴とする処置具起上装置を有する内視鏡。
【請求項２】
上記プラスチック線材がポリエステル樹脂からなる請求項１記載の処置具起上装置を有する内視鏡。
【請求項３】
上記操作ワイヤ先端の瘤状部分が、上記操作ワイヤの軸線に対して垂直向きの円柱状に形成されている請求項１又は２記載の処置具起上装置を有する内視鏡。
【請求項４】
上記操作ワイヤ先端の瘤状部分が球状に形成されている請求項１又は２記載の処置具起上装置を有する内視鏡。
【発明の詳細な説明】
【０００１】
【発明の属する技術分野】
この発明は、挿入部先端から外方に突出される処置具類の突出方向を変えるための処置具起上装置を有する内視鏡に関する。
【０００２】
【従来の技術】
側方視型内視鏡等においては、一般に、処置具挿通チャンネルに挿通された処置具の先端部分の突出方向を変えるための処置具起上片が挿入部の先端に配置されていて、挿入部内に挿通配置されたステンレス鋼線製の操作ワイヤを介して、挿入部の基端に連結された操作部からの遠隔操作によって処置具起上片を作動させるようになっている。
【０００３】
そのような内視鏡において、高周波電流が流される処置具が用いられると、処置具起上片に漏洩した高周波電流が操作部まで伝わって、術者が、処置具起上片操作レバーなど操作部に配置された金属部品に触れたときに火傷をする恐れがある。
【０００４】
そこで従来は、処置具起上片の表面や、処置具起上片と接触する部分の表面等を電気絶縁材で形成していた（実開昭５７−６０６０１号、実開昭６２−９０６０２号）。
【０００５】
【発明が解決しようとする課題】
しかし、そのように処置具起上片の表面や、処置具起上片と接触する部分の表面等を電気絶縁材で形成する構造は、機械的強度が不足して破損し易かったり、部品加工が複雑になったりするため実用的ではなかった。
【０００６】
そこで本発明は、高周波処置具を用いる際の術者の火傷防止を、実用性の高い構造によって達成することができる処置具起上装置を有する内視鏡を提供することを目的とする。
【０００７】
【課題を解決するための手段】
上記の目的を達成するため、本発明の処置具起上装置を有する内視鏡は、処置具挿通チャンネルに挿通された処置具の先端部分の突出方向を変えるために挿入部の先端に配置された処置具起上片を、挿入部内に挿通配置された操作ワイヤを介して、挿入部の基端に連結された操作部からの遠隔操作によって作動させるようにした処置具起上装置を有する内視鏡において、操作ワイヤを電気絶縁材によって形成して、挿入部の先端と操作部との間を電気的に絶縁したものである。
【０００８】
なお、操作ワイヤがプラスチック線材によって形成されていてもよく、そのプラスチック線材がポリエステル樹脂からなるものであってもよい。そして、操作ワイヤを形成するプラスチック線材の先端が瘤状に成形されて連結相手部材に対する抜け止めになっていてもよい。
【０００９】
【発明の実施の形態】
図面を参照して本発明の実施例を説明する。
図２は内視鏡を示しており、可撓管によって外装された挿入部１の先端には、挿入部１の基端に連結された操作部３からの遠隔操作によって任意に屈曲する湾曲部４が形成されている。６は、操作部３に配置された湾曲操作ノブである。
【００１０】
挿入部１内から湾曲部４内には、例えば四フッ化エチレン樹脂チューブ等のような電気絶縁性のチューブ材からなる処置具挿通チャンネル２が全長にわたって挿通されており、挿入部１と操作部３との連結部付近に突設された処置具挿入口７に処置具挿通チャンネル２の基端が接続されている。処置具挿通チャンネル２の先端は、挿入部１の先端部分１ａに位置している。
【００１１】
処置具挿通チャンネル２内には各種の処置具１００が挿通されるが、ここでは処置具１００として、高周波電流を通じて処置を行ういわゆる高周波処置具が挿通されている。
【００１２】
処置具１００の先端部分１００ａは、挿入部１の先端部分１ａから側方に突出するが、その突出方向を変化させるための処置具起上片５が挿入部１の先端部分１ａに内蔵されていて、操作部３に配置された起上片操作ノブ８によって遠隔操作される。
【００１３】
図１は、処置具起上片５を駆動するための処置具起上装置の全体構成を略示しており、処置具起上片５は、操作部３に設けられた起上片操作ノブ８により進退駆動される処置具起上操作ワイヤ２２によって揺動操作される。
【００１４】
処置具起上操作ワイヤ２２は、挿入部１内に全長にわたって挿通配置されたワイヤガイド３６内に軸線方向に進退自在に挿通配置されている。そして、操作部３に固定されたシリンダ状部材８１内に軸線方向に進退自在に嵌挿されたピストン状部材８２に処置具起上操作ワイヤ２２の基端部が連結固着されていて、ピストン状部材８２が起上片操作ノブ８によって進退操作されることにより、処置具起上操作ワイヤ２２がワイヤガイド３６内で軸線方向に進退する。
【００１５】
挿入部１の先端部分１ａには、ステンレス鋼製の先端部本体１２が例えばフッ素ゴム又はプラスチック等からなる電気絶縁性の絶縁キャップ１１により外装されて配置されている。
【００１６】
その先端部本体１２内に、起上片駆動軸１３によって処置具起上片５に対して一体的に連結された起上片駆動レバー２１が、起上片駆動軸１３を中心に回動自在に配置されている。
【００１７】
そして、その起上片駆動レバー２１に処置具起上操作ワイヤ２２の先端が連結されているので、処置具起上操作ワイヤ２２が進退動作することにより、起上片駆動レバー２１を介して処置具起上片５が起上片駆動軸１３を中心に回動駆動される。
【００１８】
図３は、挿入部１の先端部分１ａの分解斜視図であり、絶縁キャップ１１が取り外された状態を示している。先端部本体１２には対物光学系等が内蔵されており、その外周面の観察窓９、照明窓１０及び処置具誘導溝１４の開口部以外の部分が、絶縁キャップ１１によって外装されている。
【００１９】
この内視鏡は側方視型内視鏡なので、観察窓９と照明窓１０が先端部本体１２の側面に配置され、それと並んで形成された処置具誘導溝１４内に、処置具起上片５が前後方向に揺動（回動）自在に配置されている。
【００２０】
図４は、処置具誘導溝１４の中心面における挿入部１の先端部分１ａの側面断面図であり、図５はそれと逆側から見た先端部分１ａの複合側面断面図（切り口の異なる複数の断面が示されている）、図６は図５におけるVI−VI断面図である。
【００２１】
図６に示されるように、観察窓９部分にはカバーレンズ９ａが取り付けられ、その内側には対物光学系の直角ダハプリズム９ｂが配置されている。１０ａは、射出端面が照明窓１０の内側に配置されたライトガイドファイババンドルである。
【００２２】
処置具起上片５は、観察窓９及び照明窓１０と並んで先端部本体１２に形成された一定幅の処置具誘導溝１４内に配置されており、起上片駆動軸１３を中心に回動することによって揺動する。
【００２３】
処置具起上片５はステンレス鋼等のような金属単体部品として形成されているので、強度的に優れ、且つ部品製造が容易である。処置具誘導溝１４の奥の部分には処置具挿通チャンネル２の先端が連通接続されている。
【００２４】
処置具誘導溝１４を挟んで位置する先端部本体１２の側壁のうち外側の壁の外面側には、起上片駆動室２０が窪んで形成されている。起上片駆動室２０内には、起上片駆動軸１３に一体的に直角に連結された起上片駆動レバー２１が収容されている。２３は、図３にも示されるように起上片駆動室２０の側面開口の蓋をする金属薄板である。起上片駆動レバー２１と起上片駆動軸１３もステンレス鋼製である。
【００２５】
起上片駆動軸１３と処置具起上片５とは、相対的に回転しないように角軸と角孔の嵌め合いによって連結され、図６に示されるように固定ネジ１３ａによって相互に固定されている。したがって、起上片駆動レバー２１と処置具起上片５とは起上片駆動軸１３を中心に一体となって回動（揺動）する。
【００２６】
このように構成された挿入部１の先端部分１ａは、図５に示されるように、湾曲部４の先側に連結されている。湾曲部４はステンレス鋼等の金属環からなる多数の節輪を回動自在に連結して構成されており、４１はそのうちの最先端の節輪である。４２は外皮ゴムチューブ、４３は湾曲操作ワイヤである。
【００２７】
そして、湾曲部４の最先端の節輪４１に対して金属製の先端部本体１２が直接連結されているのではなく、最先端の節輪４１が、先端部本体１２の後端部分に接着剤等により固着された電気絶縁ブロック３１に対して嵌合した状態でネジ止め連結されている。
【００２８】
電気絶縁ブロック３１は例えばポリカーボネート或いは変成ＰＰＯ等のプラスチック又はセラミックス等のような電気絶縁材によって形成されており、最先端の節輪４１を固定する小ネジ３４が、電気絶縁ブロック３１に埋設された金属製のカラー３３にねじ込まれている。
【００２９】
したがって、湾曲部４を構成する部材と先端部本体１２との間は電気的に完全に絶縁されており、金属部品である処置具起上片５や先端部本体１２に高周波電流が漏洩しても、湾曲部４側には伝わらない。
【００３０】
処置具起上操作ワイヤ２２が挿通配置されたワイヤガイド３６は、ステンレス鋼線を一定の径で密着巻きしたコイルパイプによって形成されて、その先端部分が電気絶縁ブロック３１に対して後方から連結固定されている。したがって、先端部本体１２に高周波電流が漏洩しても、その高周波電流がワイヤガイド３６には伝達されない。
【００３１】
そして、ワイヤガイド３６にほぼ真っ直ぐに通じるワイヤ通過孔３２が、起上片駆動室２０に達するように、電気絶縁ブロック３１から先端部本体１２に形成されていて、処置具起上操作ワイヤ２２が軸線方向に進退自在にワイヤ通過孔３２に挿通されている。
【００３２】
本実施例の処置具起上操作ワイヤ２２は、電気絶縁性を有し且つ屈曲性と高張力とを併有する例えばポリエステル樹脂等のようなプラスチック線材によって形成されている。したがって、処置具起上操作ワイヤ２２は高周波電流が流れる媒体にはならない。
【００３３】
処置具起上操作ワイヤ２２の先端部分２２ａは、図７に示されるように、熱成形によって、処置具起上操作ワイヤ２２の軸線に対して垂直向きの円柱形の瘤状に形成されており、起上片駆動レバー２１に形成された係合孔２１ｂに回転自在に嵌め込まれ、処置具起上操作ワイヤ２２が起上片駆動レバー２１に形成されたすり割り２１ａを通過する状態に組み付けられる。
【００３４】
２１ｃは、組み立て時に処置具起上操作ワイヤ２２を通過させるためのスリットであり、組み立て後は、二点鎖線で示されるように、処置具起上操作ワイヤ２２がスリット２１ｃと逆側に引き出された状態で用いられ、先端瘤状部２２ａが起上片駆動レバー２１に対する抜け止めになる。なお、処置具起上操作ワイヤ２２の先端瘤状部２２ａは、図８に示されるように、球状その他の形状に形成してもよい。
【００３５】
このようにして、処置具起上操作ワイヤ２２の先端瘤状部２２ａが、係合孔２１ｂの軸線を中心に回転自在に起上片駆動レバー２１に連結されており、起上片操作ノブ８を操作して処置具起上操作ワイヤ２２を進退させることにより、起上片駆動レバー２１が起上片駆動軸１３を中心に回動して、処置具挿通チャンネル２内に挿通された処置具１００の先端部分１００ａの突出方向を変えることができる。
【００３６】
このような構成により、処置具起上操作ワイヤ２２が先端部本体１２及び処置具起上片５に対して電気的に絶縁された状態で処置具起上片５を回動駆動することができ、処置具１００から処置具起上片５や先端部本体１２に高周波電流が漏洩しても、その電流は先端部本体１２部分から処置具起上操作ワイヤ２２及び湾曲部４側へは伝わらない。
【００３７】
したがって、挿入部１の先端部分１ａにおいて漏洩した高周波電流は術者が触れる操作部３まで伝わらないので、操作部３に特別な絶縁構造を採用しなくても、術者や助手等が高周波漏洩電流により火傷するおそれがなく、安全に高周波処置を行うことができる。
【００３８】
【発明の効果】
本発明によれば、操作ワイヤを電気絶縁材によって形成して挿入部の先端と操作部との間を電気的に絶縁したことにより、挿入部の先端において高周波電流が漏洩しても操作部には高周波電流が伝わらず、操作部を持つ術者や助手等が漏洩電流によって火傷を負う恐れがない。
【００３９】
そして、先端の処置具起上片周辺の部材等のように強度を必要とする部材は全て金属部品により形成することができるので、強度的問題がなくて部品製造が容易である等、高い実用性を有する。
【００４０】
また、操作ワイヤをプラスチック線材によって形成し、その先端を瘤状に成形して連結相手部材に対する抜け止めにすれば、操作ワイヤと連結相手部材との係止部品を設ける必要がなく、部品の削減とロー付け等による組み立て作業の削減を図ることができる。
【図面の簡単な説明】
【図１】本発明の実施例の処置具起上装置の全体構成を示す略示図である。
【図２】本発明の実施例の内視鏡の全体構成を示す側面図である。
【図３】本発明の実施例の内視鏡の挿入部先端部分の分解斜視図である。
【図４】本発明の実施例の内視鏡の挿入部先端部分の側面断面図である。
【図５】本発明の実施例の内視鏡の挿入部先端部分の複合側面断面図である。
【図６】本発明の実施例の図５におけるVI−VI断面図である。
【図７】本発明の実施例の処置具起上操作ワイヤと処置具起上片との連結部分の分解斜視図である。
【図８】本発明の実施例の処置具起上操作ワイヤと処置具起上片との連結部分の他の例の分解斜視図である。
【符号の説明】
１  挿入部
２  処置具挿通チャンネル
３  操作部
４  湾曲部
５  処置具起上片
１２  先端部本体
２１  起上片駆動レバー
２１ａ  すり割り
２２  処置具起上操作ワイヤ
２２ａ  先端瘤状部
３１  電気絶縁ブロック
３６  ワイヤガイド
【図１】
0003689320.tif 000002
【図２】
0003689320.tif 000003
【図３】
0003689320.tif 000004
【図４】
0003689320.tif 000005
【図５】
0003689320.tif 000006
【図６】
0003689320.tif 000007
【図７】
0003689320.tif 000008
【図８】
0003689320.tif 000009